(57)【要約】      （修正有）【課題】商品サンプルを収納しつつ吊り下げて展示することができると共に、平置きすなわち棚置きにも対応する商品サンプルの展示用ケースを提供する。【解決手段】商品を展示して収納するための収納部本体２０と、収納部本体の背面に配置された背面部３０と、背面部に、商品を吊り下げるための吊り下げフックを挿入する孔部３２と、孔部の下部において、収納部本体を平置きするときにその収納部本体を支持するための支え部材９０と、を有し、支え部材は、背面部に出没可能に配置されている。【選択図】図２
0003207340.tif 000002
【実用新案登録請求の範囲】
【請求項１】
商品を展示して収納するための収納部本体と
前記収納部本体の背面に配置された背面部と、
前記背面部に、商品を吊り下げるための吊り下げフックを挿入する孔部と、
前記収納部本体の背面部における前記孔部の下部において、収納部本体を平置きするときにその収納部本体を支持するための支え部材と、を有し、
前記支え部材は、前記背面部に出没可能に配置した商品サンプルを展示するための展示用ケース。
【請求項２】
前記支え部材は、前記背面部と係合する支え係合部とを有し、
前記支え部材を折り曲げし、前記支え係合部を前記背面部に着脱可能に係合する請求項１記載の商品サンプルを展示するための展示用ケース。
【請求項３】
前記収納部本体は、さらに底部と前面部と側面部とを有し、前記前面部の下端部と前記底部は接続し、前記背面部における下端部と前記底部は接続し、前記前面部の両側端部において、前記側面部をそれぞれ接続した請求項１または２記載の商品サンプルを展示するための展示用ケース。
【請求項４】
前記背面部配置した側面を補強するための補強部と、
前記背面部と前記補強部の境界に配置した側面係合受け部と、
前記側面部に側面係合部と、を有し
前記側面係合部は、前記側面係合受け部と取り外し可能に係合する請求項３記載の商品サンプルを展示するための展示用ケース。
【請求項５】
前記前面部と背面部に、前記収納部本体を支えるための前面脚部と背面脚部とを有する請求項１から４いずれか１項記載の商品サンプルを展示するための展示用ケース。
【考案の詳細な説明】
【技術分野】
【０００１】
本考案は、店頭で、商品サンプルを収納して展示するための展示用ケースに関するものである。
【背景技術】
【０００２】
商品を販売する場合に店頭でその商品そのものを商品サンプルとして提示する場合がある。この場合に、顧客は、その商品サンプルを直接手にとって確かめることができるために販売促進につながる場合がある。一方で実際の店舗において多数の商品が占めているため、売り場の面積は限られており、商品のサンプルを提示するスペースが存在しない場合がある。
【０００３】
そのような場合において、従来は、壁に複数のフックを設け、そのフックに複数の商品を吊り下げてその商品を展示すると同時にその商品サンプルについても、その商品に紐等を取り付けそのフックに吊り下げて展示していた。これに関連するものを調査したところ、実用新案登録第３０７９２９７号公報において以下のものを開示している。
【０００４】
これは、陳列される商品に関する情報を記載した商品表示部を備えた商品表示装置であって、本体部の上部には本体吊り下げ用の開孔を設け、下部には突出部を形成し、同突出部の前面部に上記商品表示部を設けることで、同表示部を上記本体部より前方に位置するように構成したというものである。
【０００５】
このように、上記考案は、商品そのものを展示するためのものであり、それ自体を商品として販売している。従って、顧客はサンプルとして他の顧客が手にした商品とは別の商品を購入したいと思っているために、上記考案は適切ではない。また、上記考案は、フックに吊り下げて展示する形態であり、商品を吊り下げず、商品棚に載せ置く、いわゆる平置き（棚置き）する売り場において、販売する商品とは別に、商品サンプルを展示するのには不向きである。
【先行技術文献】
【特許文献】
【０００６】
【特許文献１】実用新案登録第３０７９２９７号公報
【考案の開示】
【考案が解決しようとする課題】
【０００７】
本考案は前記の点に着目してなされたもので、その課題は、商品サンプルを収納しつつ吊り下げて展示することができると共に、平置きすなわち棚置きにも対応する商品サンプルの展示用ケースを提供することを課題とする。
【課題を解決するための手段】
【０００８】
第１観点における展示用ケースは、商品を展示して収納するための収納部本体と、収納部本体の背面に配置された背面部と、背面部に、商品を吊り下げるための吊り下げフックを挿入する孔部と、収納部本体の背面部における孔部の下部において、収納部本体を平置きするときにその収納部本体を支持するための支え部材と、を有し、支え部材は、その背面部に出没可能に配置したというものである。
【０００９】
また、第２観点における展示用ケースは、第１観点において、支え部材は、背面部と係合する支え係合部とを有し、支え部材を折り曲げし、支え係合部を背面部に着脱可能に係合するというものである。
【００１０】
また、第３観点における展示用ケースは、第１観点または第２観点において、収納部本体は、さらに底部と前面部と側面部とを有し、前面部の下端部と底部は接続し、背面部における下端部と底部は接続し、前面部の両側端部において、側面部をそれぞれ接続したというものである。
【００１１】
また、第４観点における展示用ケースは、第１観点から第３観点において、背面部配置した側面を補強するための補強部と、背面部と補強部の境界に配置したし側面係合受け部と、側面部に側面係合部と、を有し側面係合部は、側面係合受け部と取り外し可能に係合するというものである。
【００１２】
また、第５観点における展示用ケースは、第１観点から第４観点において、前記前面部と背面部に、収納部本体を支えるための前面脚部と背面脚部とを有するというものである。
【考案の効果】
【００１３】
本考案によれば、商品サンプルを収納しつつ吊り下げて展示することができると共に、平置きすなわち棚置きにも対応する商品サンプルの展示用ケースを提供することができる。
【図面の簡単な説明】
【００１４】
【図１】展示用ケースの斜視図。
【図２】展示用ケースの支え部の展開斜視図。
【図３】所定の形状に抜き出したシートの平面図。
【図４】展示用ケースを吊り下げ金具に吊るした状態の概念図。
【図５】展示用ケースを平置き（棚置き）した状態の概念図。
【図６】第２展示用ケースを平置き（棚置き）した状態の概念図。
【考案を実施するための形態】
【００１５】
実施例における商品サンプルを展示するための展示用ケース１０について説明をする。この展示用ケース１０は、収納部本体２０とその背面に配置した背面部３０とを有するものである。この収納部本体２０は、展示用ケース１０の前面を構成する前面部４０と側面を構成する側面部５０、５０と底面を構成する底面部６０とからなり、その背面を構成する背面部３０をさらに有することで、商品サンプルＳを収納するために十分な容量を有している。なお、商品サンプルＳは一例として、腕や足に巻くサポーターや、腰用のサポーターを収納することができる。
【００１６】
また、側面部５０、５０の内側に補強部８０、８０を配置している。また、この補強部８０、８０は、それぞれ背面部３０に接続されている。また、補強部８０、８０は、前面部４０の下端部４１の位置から、上端部４２の位置の高さに対応する位置（後述の側面上端部５１の位置）まで、上記側面部５０、５０と重なるようにその内側に配置され、その重なる部分の幅は側面部５０、５０と比べ若干小さいもののほぼ同様である。なお、展示用ケース１０は、この補強部８０、８０を有していることで、収納部本体２０に、商品サンプルＳを収納した場合に文字通り補強を図ることができる。よって、その商品サンプルＳの重量により展示用ケース１０における背面部３０が反り返って変形することを防止することができる。
【００１７】
この補強部８０の高さ方向のほぼ中央すなわち、側面部５０の側面上端部５１に対応する位置において、この補強部８０は、その側面上端部５１とほぼ同様の幅Ｈを呈する状態から、背面部３０の上端部３１の高さ方向に向かってその幅Ｈが徐々に狭まるという側面視テーパー状を呈するという構成である。
【００１８】
また、背面部３０は、上端部３１の直下に孔部３２を有する。この孔部３２は、この展示用ケース１０を吊り下げるもので、後述するように店頭で商品Ｐを販売している売り場においてその商品Ｐと共に、その商品Ｐの商品サンプルＳを収納した展示用ケース１０を吊り下げ金具Ｘにて吊り下げるためのものである。
【００１９】
また、上記孔部３２の下方に、支え部材９０を配置する。この支え部材９０は、上記背面部３０に配置されており、支え部材９０の一端部９１は背面部３０に接続されている。この支え部材９０の一端部９１を折り曲げて、支え部材９０を抜きだすことができる。
【００２０】
また、支え部材９０は、支え係合部９２を有しており、この支え係合部９２は、背面部３０における任意の位置に配置し、この背面部３０に円弧状の切込みを入れた構成である係合受け部３６、３６と着脱可能に係合することができる。この係合受け部３６、３６は、支え折部９３を折り曲げて、支え係合部９２と係合するためのものである。尚、後述するように背面部３０と支え部材９０は一体となるように背面部３０に、出没可能に収納することができる。この支え部材９０は、文字通り、展示用ケース１０を支えるものであり、商品サンプルＳを収納した展示用ケース１０を後述するように棚Ｔに平置き（棚置き）状に配置する場合に、使用するものである。このとき、支え折部９３がこの棚Ｔと接する。
【００２１】
前面部４０は、その前面部４０の下端部４１から、下方に突出するように台形状を呈する前面脚部４１ａ、４１ａを有している。また、背面部３０は、その背面部３０の下端部３５においても、下方に突出するように台形状を呈する背面脚部３５ａ、３５ａを有している。このように、展示用ケース１０を自立した状態に配置するために、前面脚部４１ａ、４１ａと背面脚部３５ａ、３５ａとを有している。後述するように、この場合においても商品サンプルＳを展示用ケース１０に収納することができる。
【００２２】
また、側面部５０、５０における側端部５２、５２にはそれぞれ、上下に側面係合部５２ａ、５２ｂ、５２ａ、５２ｂ、を有している。これは、上述の補強部８０、８０と、背面部３０との境界の側端部３７、３７に配置した側面係合受け部８２ａ、８２ｂ、８２ａ、８２ｂと抜き差し可能に係合することができる。もっとも、図示しないが、収納部本体２０とその背面に配置した背面部３０とを一体に構成することもできる。従って、この場合は、側面係合部５２ａ、５２ｂ、５２ａ、５２ｂ、と、側面係合受け部８２ａ、８２ｂ、８２ａ，８２ｂとの配置は、任意である。
【００２３】
また、この展示用ケース１０は、１枚のシートを所定の形状１１に抜き加工し、それを組み立てることで、作成することができる。このシートは、ボール紙、合成樹脂が好ましく、合成樹脂であればいわゆるＰＥＴ（ポリエチレンテレフタレート）または０．５ミリメートル厚のポリプロピレンが好ましい。なお、ポリプロピレンであれば、後述の第１切り取り線１００と第２切り取り線１２０における切り取りが比較的容易である。
【００２４】
所定の形状１１に抜き加工したシートにおいて、上記展示用ケース１０における上記各部と対応する箇所に同一の符号を付して説明をする。なお、その一部については説明を省略する場合がある。このシート１１は、収納部本体２０と背面部３０とを有するものである。その収納部本体２０は前面部４０と側面部５０、５０と底面部６０とから構成されている（図３参照）。
【００２５】
図示した通り、底部６０は、前面部４０の下端部４１と接続され、その下端部４１を折り曲げて、前面部４０を構成する。また前面部４０の両側に側面部５０、５０を配置し、その側面部５０、５０は、前面部４０の側端部４３、４３をそれぞれ折り曲げることでその側面部５０、５０を構成する。
【００２６】
また、側面部５０、５０の側面端部５２、５２にはそれぞれ、側面係合部５２ａ、５２ｂ、５２ａ、５２ｂ、を有している。これについては上述のとおりである。
【００２７】
また、底部６０と接続した背面部３０における下端部３５を折り曲げ、背面部３０と、補強部８０、８０との境界の側端部３７、３７を折り曲げる。また、補強下部８５、８５は、補強部８０、８０と接続され、補強境界部８１、８１を折り曲げて、組み立てた場合において底部６０の内側に配置される（図１、２参照）。
【００２８】
孔部３２は、背面部３０における上端部３１の直下に配置されていることについては上述のとおりである。この孔部３２は、抜き加工により作成することができる。また、上記孔部３２の下方に、支え部材９０を配置する。この支え部材９０についても構成は上述のとおりであり、上記背面部３０に配置されており、支え部材９０の一端部９１は背面部３０に接続されている。また、この一端部９１を折り曲げて、支え部部材９０を抜き出したり、収納したりすることができる。すなわち、支え部材９０は、背面部３０において出没可能に構成されている。また、支え係合部９２は、背面部３０における任意の位置に配置されており背面部３０に円弧上の切込みを入れた構成の係合受け部３６、３６と着脱可能に係合することができることも上述のとおりである。また、支え折部９３についても上記のとおりである。
【００２９】
前面部４０の下端部４１から、底部６０内に突出するように台形を呈する前面脚部４１ａ、４１ａを有している。また、背面部３０の下端部３５においても、底部６０内に突出するように台形を呈する背面脚部３５ａ、３５ａを有している。この、前面脚部４１ａ、４１ａは、組み立てたときに、前面部４０の下端部４１から、下方に突出するように配置されている。また、背面脚部３５ａ、３５ａについても同様に、背面部３０の下端部３５から、下方に突出するように配置されている。この点についても上述のとおりである。
【００３０】
また、側面部５０、５０における側端部５２、５２は、それぞれ、上下に側面係合部５２ａ、５２ｂ、５２ａ、５２ｂ、を有している。これは、組み当てたときに上述の補強部８０、８０と背面部３０との境界の側端部３７、３７に配置した側面係合受け部８２ａ、８２ｂ、８２ａ、８２ｂと抜き差し可能に係合するものである。この側面係合部５２ａ、５２ｂ、５２ａ、５２ｂは、台形状を呈するものの、その根元部分５２ｃ、５２ｄ、５２ｃ、５２ｄは、その台形状の側面係合部５２ａ、５２ｂ、５２ａ、５２ｂよりも幅の狭い形状を呈し、側面係合受け部８２ａ、８２ｂ、８２ａ、８２ｂから、側面係合部５２ａ、５２ｂ、５２ａ、５２ｂが外れにくい構成となっている。
【００３１】
また、第１切り取り線１００と第２切り取り線１２０は、後述するとおり、店頭において棚Ｔ上に棚置きする際にこの第１切り取り線１００と第２切り取り線１２０を切り取ることで、収納した商品サンプルＳが取り出しやすくなるというものである。
【００３２】
このように１枚のシートを所定の形状１１に抜き加工したものを、組み立てて展示用ケース１０とすることができる。このようにシート状の展示用ケース１０を容易に組み立てることができるために、商品サンプルＳを展示する場合において、店頭における販売場所で即時に組み立てることができ、不要になれば元の平らな１枚のシートである所定の形状１１に戻すことができる。従って、嵩張ることなく、その収納場所に困ることもない。
【００３３】
上記の通り組み立てて使用する場合において、商品サンプルＳを、収納部本体２０に収納し、店頭の吊り下げ具Ｘに吊り下げて展示することができる。この形態であれば、商品Ｐと共にその商品サンプルＳを展示することができるために、顧客の購買意欲を掻き立てることができると共に、商品Ｐ自体をいたずらに手に取ることなく、その商品Ｐの価値を、棄損させることもない（図４参照）。
【００３４】
このように、商品サンプルＳを展示用ケース１０に入れ、その展示用ケース１０を吊り下げ金具Ｘに吊り下げることで、店頭の売り場において、商品Ｐと共に商品サンプルＳを展示することができる。また、商品サンプルＳを展示用ケース１０に入れ、その展示用ケース１０を、そのまま直立させることもできる。上述のとおり、背面脚部３５ａ，３５ａと前面脚部４１ａ，４１ａとを有しているために、その展示用ケース１０を自立させることができる（図４参照）。
【００３５】
また、展示用ケース１０および第２展示用ケース１０Ａにおいてそれぞれ支え部材９０を、組み立てて突出することにより、その展示用ケース１０および第２展示用ケース１０Ａを上向きにすることができる（図５、６参照）。これにより顧客が商品サンプルＳを取り出すことが容易となる。
【００３６】
このように、商品サンプルＳを売り場の棚Ｔに配置する場合において、商品Ｐを配置すると共に、商品サンプルＳを平置き（棚置き）する場合に、上記の支え部材９０を上記のとおり組み立てるとともに、商品サンプルＳを、収納部本体２０に収納する（図５参照）。この際に第１切り取り線１００に沿って、前面部４０をほぼ半分ほど切り取る。さらに、第２切り取り線１２０に沿って、背面部３０の一部を切り取り、折線３８に沿って折ることで端部３９を配置した第２展示用ケース１０Ａを構成する。この端部３９によって、商品サンプルＳがその第２展示用ケース１０Ａから飛び出るのを防止することができる（図６参照）。また、顧客は前面部４０を、第１切り取り線１００に沿ってほぼ半分ほど切り取ることで商品サンプルＰを取り出しやすくなるというものである。
【００３７】
このように、店頭の売り場において棚Ｔに配置する場合に、展示用ケース１０または第２展示用ケース１０Ａにそれぞれ商品サンプルＳをいれて、それらを平置き（棚置き）することができる。このように、売り場ごとに商品サンプルＳの展示方法が異なる場合において、１つの展示用ケース１０を異なる状況で使用することができる。また、上述の通り、第１切り取り線１００と第２切り取り線１２０をそれぞれ切り取ることで第２展示用ケース１０Ａに変形することができるので、売り場の形態に合わせて顧客に対して商品サンプルＳを提供することができる。従って、その展示用ケース１０によって、効果的に販売促進効果を得ることができる。さらに、この展示用ケース１０が不要となれば元の所定の形状１１の状態に戻すこともできる。
【符号の説明】
【００３８】
１０  展示用ケース
１０Ａ  第２展示用ケース
１１  所定の形状
２０  収納部本体
３０  背面部
３５ａ  背面脚部
３１  上端部
３２  孔部
３６  係合受け部
４０  前面部
４１  下端部
４１ａ  前面脚部
５２  上端部
５０  側面部
５１  側面上端部
５２  側端部
５２ａ、５２ｂ  側面係合部
８０  補強部
９０  支え部材
９１  支え部材の一端部
９２  支え係合部
【図１】
0003207340.tif 000003
【図２】
0003207340.tif 000004
【図３】
0003207340.tif 000005
【図４】
0003207340.tif 000006
【図５】
0003207340.tif 000007
【図６】
0003207340.tif 000008
【手続補正書】
【提出日】平成28年8月25日(2016.8.25)
【手続補正１】
【補正対象書類名】実用新案登録請求の範囲
【補正対象項目名】全文
【補正方法】変更
【補正の内容】
【実用新案登録請求の範囲】
【請求項１】
商品を展示して収納するための収納部本体と
前記収納部本体の背面に配置された背面部と、
前記背面部に、商品を吊り下げるための吊り下げフックを挿入する孔部と、
前記収納部本体の背面部における前記孔部の下部において、収納部本体を平置きするときにその収納部本体を支持するための支え部材と、を有し、
前記支え部材は、前記背面部に出没可能に配置した商品サンプルを展示するための展示用ケース。
【請求項２】
前記支え部材は、前記背面部と係合する支え係合部とを有し、
前記支え部材を折り曲げし、前記支え係合部を前記背面部に着脱可能に係合する請求項１記載の商品サンプルを展示するための展示用ケース。
【請求項３】
前記収納部本体は、さらに底部と前面部と側面部とを有し、前記前面部の下端部と前記底部は接続し、前記背面部における下端部と前記底部は接続し、前記前面部の両側端部において、前記側面部をそれぞれ接続した請求項１または２記載の商品サンプルを展示するための展示用ケース。
【請求項４】
前記背面部に配置した側面を補強するための補強部と、
前記背面部と前記補強部の境界に配置した側面係合受け部と、
前記側面部に側面係合部と、を有し
前記側面係合部は、前記側面係合受け部と取り外し可能に係合する請求項３記載の商品サンプルを展示するための展示用ケース。
【請求項５】
前記前面部と背面部に、前記収納部本体を支えるための前面脚部と背面脚部とを有する請求項３または４記載の商品サンプルを展示するための展示用ケース。
【手続補正２】
【補正対象書類名】明細書
【補正対象項目名】００１１
【補正方法】変更
【補正の内容】
【００１１】
また、第４観点における展示用ケースは、第１観点から第３観点において、背面部に配置した側面を補強するための補強部と、背面部と補強部の境界に配置したし側面係合受け部と、側面部に側面係合部と、を有し側面係合部は、側面係合受け部と取り外し可能に係合するというものである。
【手続補正３】
【補正対象書類名】明細書
【補正対象項目名】００１２
【補正方法】変更
【補正の内容】
【００１２】
また、第５観点における展示用ケースは、第３観点から第４観点において、前記前面部と背面部に、収納部本体を支えるための前面脚部と背面脚部とを有するというものである。